(57)【要約】【課題】冷蔵庫本体底面と床との空間が少ない場合にも利用可能な底部側把手部を備えた冷蔵庫を得る。【解決手段】冷蔵庫の底部の前面側先端部の左右に、少なくとも複数本の指が掛かる第２の把手部を設ける。第２の把手部は、冷蔵庫の底部の前面側先端部に、第２の把手部を画定する上下方向に貫通した穴が開けられた前桁部材を配置することで設けることができる。あるいは、冷蔵庫の底部を構成する底板の底面の前面側左右に、少なくとも複数本の指が掛かる第２の把手部を形成する凹みを形成する。【選択図】図３
2008070065.tif 000002
【特許請求の範囲】
【請求項１】
冷蔵庫の背面側上部左右に第１の把手部を設け、
冷蔵庫の底部の前面側先端部の左右に、少なくとも複数本の指が掛かる第２の把手部を設けた、ことを特徴とする冷蔵庫。
【請求項２】
冷蔵庫の底部の前面側先端部に、前記第２の把手部を画定する上下方向に貫通した穴が開けられている前桁部材を配置したことを特徴とする請求項１記載の冷蔵庫。
【請求項３】
冷蔵庫の底部の前面側先端部に前桁部材が設けられており、該前桁部材に前記第２の把手部を画定する上下方向に貫通した穴が開けられている把手部品を取り付けたことを特徴とする請求項１記載の冷蔵庫。
【請求項４】
前記第２の把手部を、冷蔵庫の前扉下部に設けたことを特徴とする請求項１〜３のいずれかに記載の冷蔵庫。
【請求項５】
冷蔵庫の背面側上部左右に第１の把手部を備え、
冷蔵庫の底部を構成する底板の底面の前面側左右に、少なくとも複数本の指が掛かる第２の把手部を形成する凹みを形成したことを特徴とする冷蔵庫。
【請求項６】
冷蔵庫の背面側上部左右に第１の把手部を備え、
冷蔵庫の底部を構成する底板の底面の前面側左右に、少なくとも複数本の指が掛かる第２の把手部を形成する凹みを有した把手部品を取り付けたことを特徴とする冷蔵庫。
【請求項７】
前記凹み部分に、冷蔵庫の前面側から背面側へ突出する凸部を形成したことを特徴とする請求項５または６記載の冷蔵庫。
【発明の詳細な説明】
【技術分野】
【０００１】
この発明は、冷蔵庫に係り、特にその底面と床との空間が少なく、手等の入るスペースが不十分な場合における、冷蔵庫底部側での把手部の設置に関するものである。
【背景技術】
【０００２】
従来の冷蔵庫は、本体前面下部の冷蔵庫調節足固定部に、冷蔵庫の幅方向に連結金具を取り付けることにより、運搬用の把手部としての機能を持たせている（例えば、特許文献１参照）。
【０００３】
【特許文献１】特開平7−２８０４２０号公報（第１図等）
【発明の開示】
【発明が解決しようとする課題】
【０００４】
従来の冷蔵庫は、冷蔵庫の底面と床との間に持ち手の入るスペースがあり、そのスペースを使って、冷蔵庫調節足固定部の前桁部に把手部を形成している。その場合には、冷蔵庫の底面と床とのクリアランスを確保するため、冷蔵庫内部の容積を小さくしたり、高さを高くする必要があった。このため貯蔵容積が狭まったり、冷蔵庫の上側スペースへの出し入れが難しくなる等の問題があった。
【０００５】
また、冷蔵庫調節足固定部を幅方向に延長する、もしくは延長するために別パーツを取り付ける場合には、調節足固定部が左右別部品になるため、部品成形型を別々に用意しなければならないこと、幅方向で延長するため別パーツの分だけ材料費が高くなること、さらには取り付け構造が複雑化する等の問題があった。
【０００６】
この発明は、そのような課題を解決するためになされたもので、冷蔵庫の底面と床との間に空間が少ない場合にも、利用可能な底部側把手部を備えた冷蔵庫を提案することを目的とする。
【課題を解決するための手段】
【０００７】
この発明は、冷蔵庫の背面側上部左右に第１の把手部を設け、冷蔵庫の底部の前面側先端部の左右に、少なくとも複数本の指が掛かる第２の把手部を設けたものである。なお、第２の把手部は、冷蔵庫の底部の前面側先端部に配置した前桁部材や専用部品を利用して設けることができる。
また、冷蔵庫の背面側上部左右に第１の把手部を備え、冷蔵庫の底部を構成する底板の底面の前面側左右に、少なくとも複数本の指が掛かる第２の把手部を形成する凹みを形成したものである。
【発明の効果】
【０００８】
この発明の冷蔵庫によれば、床と冷蔵庫底面との空間が少ない場合においても、冷蔵庫底部側に第２の把手部を設けることができ、この第２の把手部を背面側上部左右の第１の把手部とともに利用できるので、冷蔵庫の運搬作業が容易になる。
【発明を実施するための最良の形態】
【０００９】
以下この発明の実施の形態を図面を参照しながら説明する。
実施の形態１．
図１はこの発明の実施の形態１に係る冷蔵庫を側面方向から見た概略断面図、図２は図１の冷蔵庫の外殻を構成する箱体を下側背面方向から見た分解図、図３はこの発明の実施の形態１を示す箱体を斜め前方から見た斜視図、図４は実施の形態１の構成を説明する冷蔵庫の底部を側面方向から見た断面図である。
【００１０】
図１に示すように、冷蔵庫の外殻は箱体１によって構成されている。箱体１は室内側の樹脂製の内箱４０と外側の板金の外板４１とによって密封された空間に、断熱材４２が封入されて形成されている。箱体１の前面には、各種の収納室に対応した扉２７、扉２８、扉２９、扉３０が設けられ、箱体１の内部は、仕切り４５、仕切り４６、仕切り４７のそれぞれが断熱機能を持った部品によって区切られ、それぞれの収納空間を形成している。
【００１１】
箱体１の背面側には、庫内の空気を冷やすための冷却器２０、庫内の空気を循環させるためのファン２１、ファン２１を回転させるためのモータ２２、冷媒を圧縮して冷却器２０に送るための圧縮機１４等が備えられている。また冷却器２０の下には、ヒータ２５があり冷却器２０に付いた霜を溶かし、その溶かした水分が直接ヒータ２５にかからないようにカバー２６が設けられている。圧縮機１４は箱体１と一体の台板１１に載せられている。
【００１２】
箱体１の背面側上部には、第１の把手部としての上部把手部２が設けられている。ここでいう「箱体１の背面側上部」には、箱体１の背面そのものの上部に加えて、箱体１の天面及び側面の背面側近傍の上部領域をも含むものとする。
また、箱体１の底部の前面側先端部には板金製の前桁部材３が取り付け固定されている。前桁部材３の左右には冷蔵庫の高さ方向の傾きを調節する調節足部４が設けられており、その調節足部４にはその調節を行うための上下に稼動可能なネジ５が設けられている。さらに、調節足部４には移動用ローラ１２が、台板１１には移動用ローラ１３がそれぞれ設けられている。
【００１３】
次に、図２を参照しながら冷蔵庫の底部の構成をさらに詳しく説明する。冷蔵庫の底部も、側板としての外板４１、底板５０及び冷蔵庫庫内側の内箱により密閉された空間に、断熱材が封入された箱体１を中心に構成されている。底板５０はドレン水を庫外に排出用の穴５０ａを有する。穴５０ａの下側にはドレン水を蓄える上面が開放された蒸発容器５２が配置されている。また、側板と底板５０の間には補強用側桁５１が、ネジ穴４１ｃ、４１ｄ、５０ｃ、５０ｄ、５１ｃ、５１ｄ等を利用してネジにより取り付けられる。台板１１はそれに用意されているネジ穴１１ａ、１１ｂが、補強用側桁５１のネジ穴５１ａ、５ｂとネジにて締結され固定される。
【００１４】
前桁部材３は、その下面の穴３ｇと底板５０の穴５０ｇをネジにて締結することにより、箱体１の前面側先端部に固定されている。また、調節足部４は、補強用側桁５１に用意されているネジ穴５１ｃ、５１ｄ及び側板４１に用意されているネジ穴４１ｃ、４１ｄと締結され固定される。
【００１５】
図３に示すように、箱体１の上部左右には上部把手部２が設けられ、箱体１の底部の前面側先端部には前桁部材３が設けられている。そして、前桁部材３の左右には調節足部４が設けられている。調節足部４にはそれぞれ上下に稼動可能なネジ５が設けられている。これらは既に説明した通りである。
前桁部材３には冷蔵庫の前面に折り返し部３ａが形成されており、その折り返し部３ａには、第２の把手部（底部側把手部）を画定する上下方向に貫通した穴３ｂ、３ｃが開いていて、その穴３ｂ、３ｃにより画定された握り部（グリップ）が形成されている。これらの穴３ｂ、３ｃは少なくとも複数本の指が入る大きさであり、親指以外の全部の指が入る大きさが特に好ましい。
冷蔵庫の底部前面に取り付けられる化粧カバー６は、そのツメ部６ｂ、６ｃが折り返し部３ａの穴３ｂ、３ｃから冷蔵庫底面側に入り込むことにより、前桁部材３に着脱自在に取り付けられる。従って、前桁部材３の穴３ｂ、３ｃは、化粧カバー６により通常は隠れている。
【００１６】
次に、上記冷蔵庫の運搬方法について説明する。
図１〜図４に示すように構成された実施の形態１の冷蔵庫にあっては、化粧カバー６を取り外すと表れる前桁部材３の穴３ｂ、３ｃを利用して、前桁部材３を第２の把手部として利用できる。すなわち、冷蔵庫の運搬時、第１の把手部となる上部把手部２を持って冷蔵庫を傾けるとともに、冷蔵庫底部の前桁部材３の穴３ｂ、３ｃに指を入れて前桁部材３の握り部を持つことにより、冷蔵庫の把持が可能となり運搬作業がし易くなる。なお、穴３ｂ、３ｃに指を入れる際、前扉３０を開けた状態とすると第２の把持部が利用し易い。また、前桁部材３の穴３ｂ、３ｃの内周面（握り部）は、曲面に形成して持ち手が痛くないようにするのが好ましい。
【００１７】
実施の形態１の冷蔵庫は、冷蔵庫底部の第２の把手部が前桁部材３と一体化されて形成されているため、部品点数の増加や組み立てコストの増加を抑えることもできる。また、第２の把手部を冷蔵庫の前扉３０の下部に持ってくることにより、冷蔵庫の箱体の床面を下げても第２の把手部用のスペースが取れ、冷蔵庫の内容積の拡大化も図れる。
【００１８】
実施の形態２．
実施の形態１では、第２の把手部となる部分を前桁部材３に一体形成するようにしたものであるが、ここでは第２の把手部を専用の部品として用意し、それを箱体１の底部前面側に取り付けて固定する態様としている。
図５は実施の形態２に係る冷蔵庫の箱体を斜め前方から見た一部分解斜視図、図６はこの実施の形態２の構成を説明する冷蔵庫の底部を側面方向から見た断面図である。
箱体１の前面側先端部には、前桁部材３が取り付け固定されており、前桁部材３の前面左右には、別体の第２の把手部品７、８を装着固定するための穴３ｈ、３ｉが設けられている。第２の把手部品７、８には、複数本の指（好ましくは親指以外の全部の指）が挿入可能な上下方向に貫通した穴７ｃ、８ｃが開けられており、これらの穴７ｃ、８ｃにより画定された握り部（グリップ）が形成されている。第２の把手部品７、８は、断熱材側から前桁部材３の穴３ｈ、３ｉ対応部分に差し込まれて、その後に取り付けられる前桁部材３に固定される。第２の把手部品７、８は一旦挿入された後は、それぞれの穴３ｈ、３ｉよりも大きい面積のフランジ部７ａ、８ａによって、容易に抜け出せないようになっている。なお、把手部品７、８には、化粧カバー６の取り付け用リブ６ｃ、６ｄが差し込まれる穴７ｂ、８ｂも設けられている。
【００１９】
このように、構成された実施の形態２においては、上部把手部２を持って冷蔵庫を傾け、化粧カバー６を取り外して、把手部品７、８に形成されている穴７ｃ、８ｃに指を通して把手部品７、８の握り部を持つことにより、冷蔵庫を持ち上げて運搬することができる。また、第２の把手部を冷蔵庫の前扉３０の下部に持ってくることにより、冷蔵庫の箱体の床面を下げても第２の把手部用のスペースが取れ、冷蔵庫の内容積の拡大化も図れる。また、把手部品７、８部分を適宜調整して持ち易くすることができる。さらに、把手部品７、８を断熱材中に埋め込んで固定することで、運搬時にかかる荷重に対する強度をさらに上げることもできる。
なお、第２の把手部品７、８は、前桁部材３あるいはその他の部材により固定することなく、直接箱体１の前面側先端部に取り付け固定するようにしても良い。
【００２０】
実施の形態３．
実施の形態１、２では、前桁部材３を利用して冷蔵庫の底部に第２の把手部を持たせたものであるが、ここでは、箱体１を構成している底板５０自体に、第２の把手部を備えたものである。
図７は実施の形態３を示す冷蔵庫の箱体を底面側から見上げた状態の斜視図、図８は実施の形態３の構成を説明する冷蔵庫の底部を側面方向から見た断面図である。
冷蔵庫の底面は、箱体１を構成する底板５０と圧縮機を載せている台板１１で構成されている。底板５０には前桁部材３が取り付けられており、前桁部材３の左右には冷蔵庫の高さ方向の傾きを調節するネジ５を有した調節足部４が設けられている。調節足部４と台板１１にはそれぞれローラ１２、１３がついている。そして、底板５０の底面前側部分（前桁部材３の近傍部分）には、凹部５０ｂ、５０ｃがそれぞれ左右に形成されて、第２の把手部を形成している。凹部５０ｂ（５０ｃについても同じ）は、少なくとも複数本の指が入る幅の空間５０ｄに形成され、その空間５０ｄの前面側には、底板５０の底面と略平行に、冷蔵庫の前面側から背面側に向かって突出する凸部５０ｅを備えている。この凸部５０ｅは、冷蔵庫の前面側から空間５０ｄに挿入された指を引っ掛けるのに適した態様となっている。
【００２１】
以上のように構成した冷蔵庫にあっては、上部把手部２を持ち、冷蔵庫を傾けて底板５０の凹部５０ｂ、５０ｃに指を挿入して底部を持つことにより、冷蔵庫を傾けつつ持ち上げて運搬することができる。特に、底板５０の凹部５０ｂ、５０ｃには凸部５０ｅが設けられているため、その凸部５０ｅに指を掛けることにより運搬もより簡単になる。この構成は、把手機能のための追加部品を設ける必要がない点で有利である。
【００２２】
実施の形態４．
実施の形態４は、底板５０とは別体の把手部品を利用して、上記実施の形態３と同様の態様を得るようにしたものである。
図９は実施の形態４を示す冷蔵庫の箱体を底面側から見上げた状態の斜視図、図１０は実施の形態４の構成を説明する冷蔵庫の底部を側面方向から見た断面図である。
冷蔵庫底部の底板５０の前側部分（前桁部材３の近傍部分）には、穴５０ｈ、５０≡が形成されている。そして、その穴５０ｈ、５０≡に、凹み形状を有した把手部品１５ａ、１５ｂを嵌め込んで、底板５０の底面前側部分に凹み形状の第２の把手部を形成している。把手部品１５ａ、１５ｂは樹脂等から形成することができる。把手部品１５ａ（１５ｂについても同じ）には、少なくとも複数本の指が入る幅の空間１５ｄが形成され、その空間１５ｄの前面側には、底板５０の底面と略平行に、冷蔵庫の前面側から背面側に向かって突出する凸部１５ｅを備えている。この凸部１５ｅは、冷蔵庫の前面側から空間１５ｄに挿入された指を引っ掛けるのに適した態様となっている。
【００２３】
以上のように構成した冷蔵庫にあっては、上部把手部２を持ち、冷蔵庫を傾けて底板５０部分の把手部品１５ａ、１５ｂの空間１５ｄに指を挿入して底部を持つことにより、冷蔵庫を傾けつつ持ち上げて運搬することができる。特に、把手部品１５ａ、１５ｂには凸部１５ｅが備えられているため、その凸部１５ｅに指を掛けることにより運搬も容易となる。底板一体型を利用した板金加工のみで実施の形態３の凹部５０ｂ、５０ｃを形成することが困難な場合には、この実施の形態４を採用するのが好ましい。なお、この場合、把手部品１５ａ、１５ｂは同じ形状なので、成形金型は１つでよく、把手部品１５ａ、１５ｂを区別する手間も省ける。
【図面の簡単な説明】
【００２４】
【図１】実施の形態１に係る冷蔵庫を側面方向から見た概略断面図。
【図２】図１の冷蔵庫の外殻を構成する箱体を下側背面方向から見た概略分解図。
【図３】実施の形態１を示す冷蔵庫の箱体を斜め前方から見た斜視図。
【図４】実施の形態１の構成を説明する冷蔵庫の底部を側面方向から見た断面図。
【図５】実施の形態２に係る冷蔵庫の箱体を斜め前方から見た一部分解斜視図。
【図６】実施の形態２の構成を説明する冷蔵庫の底部を側面方向から見た断面図。
【図７】実施の形態３を示す冷蔵庫の箱体を底面側から見上げた状態の斜視図。
【図８】実施の形態３の構成を説明する冷蔵庫の底部を側面方向から見た断面図。
【図９】実施の形態４を示す冷蔵庫の箱体を底面側から見上げた状態の斜視図。
【図１０】実施の形態４の構成を説明する冷蔵庫の底部を側面方向から見た断面図。
【符号の説明】
【００２５】
１  箱体、２  上部把手部、３  前桁部材、３ｂ，３ｃ  前桁部材に開けられた把手部形成用穴、３ｈ，３ｉ  前桁部材に開けられた把手部品取り付け用穴、４  調節足部、５  調節ネジ、６  化粧カバー、７，８  把手部品、７ｃ，８ｃ  把手部品に開けられた穴、１１  台板、１２  調節足部側ローラ、１３  台板側ローラ、１４  圧縮機、１５ａ，１５ｂ  把手部品、１５ｅ  凸部、２０  冷却器、２１  ファン、２２  モータ、２５  ヒータ、２６  カバー、２７，２８，２９，３０  扉、４０  内箱、４１  外板、４２  断熱材、４５，４６，４７  仕切り、５０  底板、５０ｂ，５０ｃ  凹部、５０ｅ  凸部、５１  補強用側桁、５２  蒸発容器。
【図１】
2008070065.tif 000003
【図２】
2008070065.tif 000004
【図３】
2008070065.tif 000005
【図４】
2008070065.tif 000006
【図５】
2008070065.tif 000007
【図６】
2008070065.tif 000008
【図７】
2008070065.tif 000009
【図８】
2008070065.tif 000010
【図９】
2008070065.tif 000011
【図１０】
2008070065.tif 000012